(57)【要約】【課題】目的地周辺の駐車場の空き駐車区画を予約するとともに、ユーザのニーズに近い空き駐車区画を確保すること【解決手段】クライアント端末からの目的地情報を含む予約要求、複数の駐車場の空き情報を管理することができるＤＢ、駐車場ゲート端末からの空き状況の通知、ホストシステムのゲート管理により目的地周辺の複数の駐車場単位で予約管理を行うとともに、経路案内端末からの割り当て要求又はユーザの現在地情報により、ユーザが目的地の周辺エリアに到達時に、他予約車の状況や駐車場の空き状況に応じて駐車場の空き区画を割り当てる。【選択図】図１
2015052987.tif 000002
【特許請求の範囲】
【請求項１】
クライアント端末と、経路案内端末と、駐車場ゲート端末と、ホストシステムとが、ネットワークを介して接続された駐車区画予約管理システムであって、
前記ホストシステムが、駐車場予約サーバと、駐車場管理データベースと、利用者情報データベースとを備え、
前記駐車場管理データベースが、駐車場の空き区画数情報と予約数情報とを格納し、
前記利用者情報データベースが、登録目的地情報と割り当てられた駐車場情報とを格納し、
前記駐車場予約サーバが、
前記クライアント端末からの駐車区画予約要求に応じて、前記駐車場管理データベースの情報に基づいて予約を登録する予約管理手段と、
前記経路案内端末から通知される一定時間毎のユーザの現在地情報に基づいて、ユーザが目的地周辺対象エリアに到達したと判定すると、前記駐車場管理データベースの情報に基づいて、駐車場を割り当てる駐車場割り当て手段と、
前記駐車場管理データベースの情報に基づいて、前記駐車場ゲート端末による駐車場ゲートの開閉制御を管理するゲート管理手段とを備えることを特徴とする駐車区画予約管理システム。
【請求項２】
クライアント端末と、経路案内端末と、駐車場ゲート端末と、ホストシステムとが、ネットワークを介して接続された駐車区画予約管理システムであって、
前記ホストシステムが、駐車場予約サーバと、駐車場管理データベースと、利用者情報データベースとを備え、
前記駐車場管理データベースが、駐車場の空き区画数情報と予約数情報とを格納し、
前記利用者情報データベースが、登録目的地情報と割り当てられた駐車場情報とを格納し、
前記駐車場予約サーバが、
前記クライアント端末からの駐車区画予約要求に応じて、前記駐車場管理データベースの情報に基づいて予約を登録する予約管理手段と、
前記経路案内端末からの駐車場割り当て要求に応じて、前記駐車場管理データベースの情報に基づいて、駐車場を割り当てる駐車場割り当て手段と、
前記駐車場管理データベースの情報に基づいて、前記駐車場ゲート端末による駐車場ゲートの開閉制御を管理するゲート管理手段とを備えることを特徴とする駐車区画予約管理システム。
【請求項３】
前記経路案内端末が、前記登録目的地及び割り当てられた駐車場までの経路を案内する手段を備えることを特徴とする請求項１又は２に記載の駐車区画予約管理システム。
【発明の詳細な説明】
【技術分野】
【０００１】
本発明は、駐車場の駐車区画の予約管理を行うシステムに関するものである。
【背景技術】
【０００２】
車両や道路交通網の発達に伴い、手軽に遠隔地への移動が可能となってきている。
最近一般的なナビゲーションシステムにおいて、地図情報をメモリカード等の記憶媒体に格納し、衛星情報を用いて検出した現在地によってメモリカード等の記憶媒体内に格納した地図情報より検出した現在地、及び現在地周辺の地図を固定あるいは移動型の端末装置の画面に表示し目的地まで誘導するＧＰＳ（Ｇｌｏｂａｌ  Ｐｏｓｉｔｉｏｎｉｎｇ  Ｓｙｓｔｅｍ）利用のナビゲーションシステムが普及しつつある。
【０００３】
また従来から時間課金制の駐車場が一般的に広く利用されており、ユーザは目的地に応じて利用する駐車場を選択する。すなわち、目的地周辺の駐車場を検索し、目的地に最も近い駐車場を選択することが一般的である。この時、目的地に最も近い駐車場に空き駐車区画が存在しない場合、ユーザは空き駐車区画が発生することを待つか、他の駐車場を検索し、空き駐車区画の有無を確認するために再度移動をする必要がある。
【０００４】
近年では駐車場の利用状況をリアルタイムで入手し、予約することができるシステムが構築されている(例えば、特許文献１参照)。当該特許文献に記載されているシステムは駐車場の予約時にユーザが利用を希望する駐車場に空き駐車区画がない場合でも、仮予約を行い、空き駐車区画が発生した場合に予約をすることができる。
【先行技術文献】
【特許文献】
【０００５】
【特許文献１】特開２０１１−００３０２６号公報
【発明の概要】
【発明が解決しようとする課題】
【０００６】
しかし、上記の従来技術では駐車場の予約をした時点で希望した駐車場に空き駐車区画が発生しなかった場合でも目的地周辺までの経路誘導が実施されることとなる。このため、目的地周辺に到着するまでに目的地周辺の駐車場に空き駐車区画が発生しなかった場合、ユーザは再度目的地周辺の駐車場を再検索する必要ある。
【０００７】
本発明の目的は、予約登録時点で空き駐車区画を確保し、かつ、目的地周辺駐車場の空き状況に応じてユーザの要望に合致した駐車場の利用をすることができる駐車区画予約管理システムを提供することにある。
【課題を解決するための手段】
【０００８】
上記の目的を達成するために、本発明の駐車区画予約管理システムは、クライアント端末と、経路案内端末と、駐車場ゲート端末と、ホストシステムとが、ネットワークを介して接続された駐車区画予約管理システムであって、前記ホストシステムが、駐車場予約サーバと、駐車場管理データベースと、利用者情報データベースとを備え、前記駐車場管理データベースが、駐車場の空き区画数情報と予約数情報とを格納し、前記利用者情報データベースが、登録目的地情報と割り当てられた駐車場情報とを格納し、前記駐車場予約サーバが、前記クライアント端末からの駐車区画予約要求に応じて、前記駐車場管理データベースの情報に基づいて予約を登録する予約管理手段と、前記経路案内端末から通知される一定時間毎のユーザの現在地情報に基づいて、ユーザが目的地周辺対象エリアに到達したと判定すると、前記駐車場管理データベースの情報に基づいて、駐車場を割り当てる駐車場割り当て手段と、前記駐車場管理データベースの情報に基づいて、前記駐車場ゲート端末による駐車場ゲートの開閉制御を管理するゲート管理手段とを備えることを特徴とする。
【０００９】
また、本発明の駐車区画予約管理システムは、クライアント端末と、経路案内端末と、駐車場ゲート端末と、ホストシステムとが、ネットワークを介して接続された駐車区画予約管理システムであって、前記ホストシステムが、駐車場予約サーバと、駐車場管理データベースと、利用者情報データベースとを備え、前記駐車場管理データベースが、駐車場の空き区画数情報と予約数情報とを格納し、前記利用者情報データベースが、登録目的地情報と割り当てられた駐車場情報とを格納し、前記駐車場予約サーバが、前記クライアント端末からの駐車区画予約要求に応じて、前記駐車場管理データベースの情報に基づいて予約を登録する予約管理手段と、前記経路案内端末からの駐車場割り当て要求に応じて、前記駐車場管理データベースの情報に基づいて、駐車場を割り当てる駐車場割り当て手段と、前記駐車場管理データベースの情報に基づいて、前記駐車場ゲート端末による駐車場ゲートの開閉制御を管理するゲート管理手段とを備えることを特徴とする。
【００１０】
また、好ましくは、本発明の駐車区画予約管理システムは、前記経路案内端末が、前記登録目的地及び割り当てられた駐車場までの経路を案内する手段を備えることを特徴とする。
【発明の効果】
【００１１】
ユーザは駐車場の予約が登録された時点で駐車区画を確保できているため、予約登録後は、空き駐車区画の発生を待つ、もしくは空き駐車区画が存在するかを周辺駐車場一か所ずつ確認していく必要がなくなる。
【図面の簡単な説明】
【００１２】
【図１】本発明の実施形態にかかる駐車区画予約管理システムの構成を示すブロック図の一例である。
【図２】本発明における空き区画情報テーブルの一例である。
【図３】本発明における予約情報テーブルの一例である。
【図４】本発明における利用者情報テーブルの一例である。
【図５】本発明における処理手順の一例を示すフロー図である
【図６】本発明における予約の処理手順の一例を示すフロー図である。
【図７】本発明におけるゲート管理の処理手順の一例を示すフロー図である。
【図８】本発明における駐車場割り当ての処理手順の一例を示すフロー図である。
【発明を実施するための形態】
【００１３】
以下、本発明を適用した駐車区画予約管理システムを説明する。
図1は、本発明の実施形態の一例を示すシステム構成図であり、ユーザが駐車場予約を行うクライアント端末１００、駐車場の予約及びゲート管理を行う駐車場予約サーバ１１０、経路案内端末１５０、各駐車場に設置されている駐車場ゲート端末１４０はそれぞれ、ネットワーク１６０を介して接続されている。
【００１４】
クライアント端末１００は、パーソナルコンピュータ、スマートフォン、携帯電話等の情報処理端末である。クライアント端末１００は、駐車場予約サーバ１１０に対して、駐車区画予約要求を行う。本発明の駐車区画予約管理システムは、複数のユーザに利用され得るため、通常、クライアント端末１００は複数個存在する。
【００１５】
経路案内端末１５０は、例えば、ナビゲーション装置のような経路案内装置である。経路案内端末１５０は、駐車場予約サーバ１１０に対して、ユーザの現在地情報又は駐車場の割り当て要求を送信する。本発明の駐車区画予約管理システムは、複数のユーザに利用され得るため、通常、経路案内端末１００は複数個存在する。
経路案内端末１５０は、好ましくは、駐車場予約サーバ１１０から登録目的地情報及び割り当てられた駐車場情報を取得し、これらまでの経路を案内する手段を備えることができる。
【００１６】
なお、クライアント端末１００の処理と経路案内端末１５０の処理は1つの端末が実行してもよい。例えば、ナビゲーション装置等の経路案内端末１５０から駐車場区画の予約要求を送信し、予約結果を受信できるようにする場合や、クライアント端末１００から駐車場割り当て要求を送信できるようにする場合などである。
また、この場合、クライアント端末１００は、好ましくは、駐車場予約サーバ１１０から登録目的地情報及び割り当てられた駐車場情報を取得し、登録目的地及び割り当てられた駐車場までの経路を案内することができるように設けられる。
【００１７】
駐車場予約サーバ１１０はネットワーク１６０との通信を行うための送受信部１１１、予約要求に対する処理を行う予約管理部１１２、駐車場ゲート端末１４０の制御を行うゲート管理部１１３、各駐車場の空き区画情報を検索し、割り当てを行う駐車場割り当て部１１４より構成される。
【００１８】
駐車場予約サーバ１１０は、図示しないＣＰＵ（Ｃｅｎｔｒａｌ  Ｐｒｏｃｅｓｓｉｎｇ  Ｕｎｉｔ）と、メモリと、記憶装置とを備えたコンピュータである。記憶装置は、駐車区画予約管理プログラムを記憶している。ＣＰＵが記憶装置からメモリに駐車区画予約管理プログラムを読み出して実行することにより、駐車場予約サーバ１１０の各機能が実現される。
【００１９】
駐車場予約サーバ１１０は、各駐車場の空き区画情報や予約情報を保持している駐車場管理ＤＢ（データベース）１２０と、システムユーザの情報を保持している利用者情報管理ＤＢ１３０と接続して、本発明のホストシステムを構成している。本発明において、ホストシステムを複数個設けることもできる。
【００２０】
駐車場ゲート端末１４０はネットワークとの通信を行うためのゲート送受信部１４１、ゲートの制御を行うゲート開閉制御部１４２より構成される。駐車場ゲート端末１４０は、各駐車場に設けられ、各駐車場における駐車区画の空き状況を検知し、またゲートの開閉の制御を行う。
【００２１】
図２と図３に駐車場管理ＤＢ１２０が持つ空き区画情報１２１と予約情報１２２のテーブルを示す。
【００２２】
空き区画情報１２１には、各駐車場毎に、駐車場を一意に特定する駐車場ＩＤ２０１、駐車場が属するエリアを識別するための所属エリアＩＤ２０２、駐車場に存在する駐車区画数２０３、駐車場に存在する空き駐車区画数２０４を格納する。所属エリアは、予め定めた地域的範囲であり、任意の大きさに設定することができ、通常、１つの所属エリア内に複数の駐車場が所属する。そして、空き区画情報１２１を参照することにより、所属エリア内の駐車場の空き駐車区画数の累計を把握することができる。
【００２３】
予約情報１２２には、所属エリア毎に、駐車場の所属エリアを特定するためのエリアＩＤ３０１、所属エリア内の駐車場に対して予約が成立している予約数３０２、予約されている予約Ｎｏ３０３を格納する。
【００２４】
図４に利用者情報管理ＤＢ１３０が持つ利用者情報１３１のテーブルを示す。
利用者情報１３１としてユーザを一意に特定する会員ＩＤ４０１、ユーザの氏名４０２、ユーザの性別４０３、予約時に登録された目的地情報４０４、割り当てられた駐車場ＩＤ４０５を格納する。
【００２５】
図５は本発明の駐車区画予約管理システムの概要を示すフローチャートである。駐車区画予約管理システムには大きく分けて、予約処理、ゲート管理処理、駐車場割り当て処理の３つの処理が存在する。
【００２６】
まず、ユーザがクライアント端末１００に駐車場の予約情報を入力して、送信の指示をすると、クライアント端末１００は目的地情報を含む予約要求を送信する（ステップ５０１）。駐車場予約サーバ１１０の予約管理部１１２は、駐車場管理ＤＢ１２０の情報に基づいて駐車場の予約登録（ステップ５１１）を行い、送受信部１１１は、予約結果をクライアント端末１００へ返信し、クライアント端末１００は、予約結果を表示する（ステップ５０２）。予約管理部１１２は、利用者情報管理ＤＢ１３０の利用者情報１３１に目的地情報を登録する。
【００２７】
経路案内端末１５０は、駐車場予約サーバ１１０より利用者情報管理ＤＢ１３０へアクセスし、利用者情報１３１に登録されている目的地情報４０４を取得する（ステップ５５１）。経路案内端末１５０は、好ましくは、その目的地を登録目的地に設定し、登録目的地までの経路を案内する。
【００２８】
次に、駐車場から車両が出庫した場合など駐車場の空き状況が変化すると、駐車場ゲート端末１４０は、これを検知し、ゲート送受信部１４１は、空き情報を駐車場予約サーバ１１０へ通知する（ステップ５４１）。駐車場予約サーバ１１０のゲート管理部１１３は、通知の内容をもとに駐車場管理ＤＢ１２０の空き区画情報１２１を更新し、空き駐車区画数が予約数を下回らないよう駐車場ゲート端末１４０へのゲート制御を管理する（ステップ５１２・５４２）。
【００２９】
予約登録が完了すると、経路案内端末１５０は、駐車場予約サーバ１１０に対して、一定時間毎にユーザの現在地情報を通知する。駐車場予約サーバ１１０の駐車場割り当て部１１４は、経路案内端末１５０から通知されたユーザの現在地情報から、ユーザが目的地周辺対象エリアに到達したと判定すると、駐車場割り当て処理(ステップ５１３)を実行し、経路案内端末１５０へ割り当てられた駐車場情報を返信し、経路案内端末１５０は割り当てられた駐車場情報を表示する（ステップ５５３）。経路案内端末１５０は、好ましくは、目的地を登録目的地から割り当てられた駐車場に変更し、割り当てられた駐車場までの経路を案内する。
【００３０】
ここで、経路案内端末１５０は、前記ユーザの現在地情報ではなく、ユーザが目的地周辺対象エリアに到達したときに、駐車場予約サーバ１１０に対して、駐車場割り当て要求を送信することもできる。この場合は、駐車場予約サーバ１１０が駐車場割り当て要求を受信すると、駐車場割り当て部１１４が割り当て処理を実施する。
【００３１】
本発明において、目的地周辺対象エリアとは、例えば、登録目的地までの距離を基準に設定された一定の地域的範囲以内のエリアである。ユーザが目的地周辺対象エリアの外から、目的地周辺対象エリアに到達することで、経路案内端末１５０が駐車場割り当て要求を送信し、又は駐車場割り当て部１１４がユーザが目的地周辺対象エリアに到達したと判定し、駐車場割り当て部１１４の駐車場割り当て処理が開始される。
【００３２】
予約処理５１１について詳細に説明する。図６は予約処理５１１の詳細な処理フローである。
【００３３】
ユーザはクライアント端末１００より予約要求を駐車場予約サーバ１１０へ送信する（ステップ６０１）。駐車場予約サーバ１１０の予約管理部１１２は目的地周辺の所属エリアに属する駐車場を検索し（ステップ６１１）、検索結果で得られた駐車場すべての空き区画情報を駐車場管理ＤＢ１２０の空き区画情報１２１から収集する（ステップ６１２）。予約管理部１１２は、収集した空き区画情報をもとに空き区画が存在しているかを判定する（ステップ６１３）。空き区画が存在しない場合、予約できないことを予約結果としてクライアント端末へ返信する（ステップ６１４）。
【００３４】
空き区画が存在している場合、予約管理部１１２は、予約を登録する（ステップ６１５）。予約の登録処理では、駐車場管理ＤＢ１２０の予約数３０２を更新し、利用者情報管理ＤＢ１３０にユーザが登録した目的地情報を登録目的地情報４０４に登録する。また、予約登録時に所属エリアの予約数３０２と、当該所属エリア内の駐車場の空き区画数２０４の累計が一致した場合、ゲート管理部１１３は、当該所属エリア内の各駐車場ゲート端末１４０に対しゲート制御通知を送信し（ステップ６１６）、ゲート制御通知を受信した駐車場ゲート端末１４０はゲート開閉制御部１４２により予約車以外の車両の駐車を制限する。
【００３５】
経路案内端末１５０は、駐車場予約サーバ１１０に対して、ユーザが駐車場の予約を行っているか否かを問い合わせ、予約が登録されている場合には、目的地取得要求を送信し（ステップ６５１）、駐車場予約サーバ１１０は利用者情報管理ＤＢ１３０より登録目的地情報４０４を取得し返信する（ステップ６１７）。好ましくは、返信内容をもとに経路案内端末１５０は、その目的地を登録目的地に設定し（ステップ６５２）、登録目的地までの経路を案内する。
【００３６】
次にゲート管理処理５１２の詳細を説明する。図７はゲート管理処理の詳細な処理フローである。
【００３７】
各駐車場に設置されている駐車場ゲート端末１４０は、車両が出庫もしくは入庫し、駐車場の空き状況が変化した場合、これを検知して、空き情報を駐車場予約サーバ１１０へ通知する（ステップ７４１・７４２）。通知を受けた駐車場予約サーバ１１０は、ゲート管理部１１３により駐車場管理ＤＢ１２０の空き区画情報１２１を更新し（ステップ７１１）、予約情報１２２の所属エリア内の予約数３０２と、空き区画情報１２１の当該所属エリア内の駐車場の空き区画数２０４の累計とを比較する（ステップ７１２）。予約情報１２２の当該所属エリア内の予約数３０２と、空き区画情報１２１の当該所属エリア内の駐車場の空き区画数２０４の累計とが一致している場合、ゲート管理部１１３により、当該所属エリア内の各駐車場ゲート端末１４０に対しゲート制御通知が送信され（ステップ７１３）、各駐車場ゲート端末１４０のゲート開閉制御部１４２は、予約車以外の車両の駐車を制限する（ステップ７４３）。なお、当該所属エリア内の駐車場空き区画数が予約数を上回った場合は、駐車場予約サーバ１１０から各駐車場ゲート端末１４０に対し、ゲート制御解除通知が送信され、各駐車場ゲート端末１４０は予約車以外の車両も受け入れる。
【００３８】
駐車場割り当て処理５１３の詳細を説明する。図８は駐車場割り当て処理の詳細な処理フローである。
【００３９】
経路案内端末１５０は、一定時間ごとにユーザの現在地情報を駐車場予約サーバ１１０へ通知する（ステップ８５１）。駐車場予約サーバ１１０は、通知されたユーザの現在地情報をもとにユーザが目的地周辺対象エリアに到達したかを判定する(ステップ８１１)。
【００４０】
ユーザが目的地周辺対象エリアに到達した場合、駐車場予約サーバ１１０の駐車場割り当て部１１４は、駐車場管理ＤＢ１２０の空き区画情報１２１をもとに、所属エリア内の駐車場の空き状況や他予約車の状況等から、予約時に入力している登録目的地からの距離を優先するといったユーザのニーズに最も合致している空き駐車場を割り当て、経路案内端末１５０へ割り当てた駐車場情報を送信する(ステップ８１３)。経路案内端末１５０は受信した駐車場情報を表示する(ステップ８５２)。経路案内端末１５０は、好ましくは、その目的地を登録目的地から割り当てられた駐車場に変更して設定し、当該駐車場までの経路を案内する。
【００４１】
なお、前述したように、経路案内端末１５０は、ユーザの現在地情報の通知ではなく、これに代えて、ユーザが目的地周辺対象エリアに到達したときに駐車場割り当て要求を駐車場予約サーバ１１０に送信するようにすることもできる。この場合、駐車場予約サーバ１１０が駐車場割り当て要求を受信すると、駐車場割り当て部１１４は、駐車場の割り当て処理を行う。
【００４２】
なお、駐車場予約サーバ１１０の駐車場割り当てロジック次第では、意図的に他拠点に分散誘導することが可能であり、駐車場付近の渋滞を緩和することも期待できる。
また、駐車場管理会社は自社が管理している駐車場の空き状況に応じて駐車区画を割り当てるため、自社が管理する他の駐車場への誘導が可能となるため駐車スペースの稼働率を上げることが期待できる。
【符号の説明】
【００４３】
１００・・・クライアント端末（予約端末）
１１０・・・駐車場予約サーバ
１１１・・・送受信部
１１２・・・予約管理部
１１３・・・ゲート管理部
１１４・・・駐車場割り当て部
１２０・・・駐車場管理ＤＢ
１２１・・・空き区画情報
１２２・・・予約情報
１３０・・・利用者情報管理ＤＢ
１３１・・・利用者情報
１４０・・・駐車場ゲート端末
１４１・・・ゲート送受信部
１４２・・・ゲート開閉制御部
１５０・・・経路案内端末
１６０・・・ネットワーク
【図１】
2015052987.tif 000003
【図２】
2015052987.tif 000004
【図３】
2015052987.tif 000005
【図４】
2015052987.tif 000006
【図５】
2015052987.tif 000007
【図６】
2015052987.tif 000008
【図７】
2015052987.tif 000009
【図８】
2015052987.tif 000010